(57)【要約】【課題】バリエーションの豊富な手作り装飾具を簡単かつ確実につくること、またこれにより他人と差別化を図ること【解決手段】貴金属粘土を予め定められた形状に成形してなる本体１及び該本体１に埋め込まれ固着される装飾子３とからなる。装飾子３は上部５及び下部７が一体の固形貴金属からなり、装飾乃至表示機能を担う上部５の直下に連続して延長される下部７を本体１に埋め込み、かかる状態で焼成する。下部７には切欠９を設ける。装飾子３が本体１に埋め込まれる際、切欠９の通過軌跡に沿って空隙が生ずる。しかし、この空隙は焼成工程での本体１の収縮により貴金属粘土からなる生地が充填され、この状態で焼成される。焼成工程を経た本体１は水分及び結合剤が抜けるため収縮するが、装飾子３は当初より固形体であるため焼成工程を経ても収縮しないので、装飾子３が本体１にしっかりと喰い込み固着する。【選択図】        図５
2004321678.tif 000002
【特許請求の範囲】
【請求項１】
貴金属粘土を予め定められた形状に成形してなる本体及び該本体に埋め込まれ固着される装飾子とからなり、上記装飾子は上部及び下部が一体の固形貴金属からなり、装飾乃至表示機能を担う上部の直下に連続して延長される下部を本体に埋め込み、かかる状態で焼成することを特徴とする装飾具。
【請求項２】
請求項１記載の装飾具において、上記下部に切欠を設けることを特徴とする装飾具。
【請求項３】
請求項１記載の装飾具において、上記下部に突起を設けることを特徴とする装飾具。
【請求項４】
請求項１記載の装飾具において、上記上部は適宜の形状、模様、図形、記号、文字もしくは数字又はこれらの結合を表わすことを特徴とする装飾具。
【請求項５】
貴金属粘土からなる生地を予め定められた形状に成形し本体を成形する工程と、該本体に装飾子の下部を埋め込む工程と、上記工程品を乾燥後焼成する工程とからなる装飾具の製造方法。
【請求項６】
請求項５記載の装飾具の製造方法において、上記工程の順序を上記記載順にすることを特徴とする装飾具の製造方法。
【発明の詳細な説明】
【０００１】
【発明の属する技術分野】
本願発明は装飾具及びその製造方法に係り、とくにユーザーが自身で手作りすることができる装飾具及びその製造方法に関する。本願発明は、例えば指輪、ブレスレット、イヤリング、ブローチ、ペンダント、ネックレス、バッジ、メダル、バックル、ネクタイ止め、帯留め等の装身具またナイフ、フォーク、スプーン等の柄の如きに適用される。
【０００２】
【従来の技術】
個人の嗜好が多様化した今日、他人と差別化を図るため、とくに装飾具の分野では、ユーザー自身が手作りにより不二の装飾具を求めるニーズが高まっている。
【０００３】
従来の手作り装飾具は、例えば銀粘土を用いる場合、生地を適宜形状に成形したり、表面に合成石を埋め込んだり、スタンプモチーフを押捺したりするだけであった。
【０００４】
このため、例えば指輪の如きでは、製品の機能的形状が共通するため、また手作りをする者の生産技能が一般に未熟なことも相まって、本体１の形状や模様が単調となる傾向が多く、結果として他人と差別化をすることができないでいた。
【０００５】
また従来、アクセサリーパーツの埋込みによるデザインの拡張の場合、アクセサリーパーツが脱落することが多く、これを防止するためろう付けにより埋込部分を設けると、焼成工程においてろう付けが熔融しアクセサリーパーツが離脱することが多かった。
【０００６】
【発明が解決しようとする課題】
本願発明は、上記欠点を解決し、バリエーションの豊富な手作り装飾具を簡単かつ確実につくること、またこれにより他人の装飾具と差別化を図ることを目的とする。
【０００７】
【課題を解決するための手段】
上記目的達成のため、本願発明による装飾具は、貴金属粘土を予め定められた形状に成形してなる本体及び該本体に埋め込まれ固着される装飾子とからなり、上記装飾子は上部及び下部が一体の固形貴金属からなり、装飾乃至表示機能を担う上部の直下に連続して延長される下部を本体に埋め込み、かかる状態で焼成することを特徴とする。
また、請求項１記載の装飾具において、上記下部に切欠を設けることを特徴とする。
また、請求項１記載の装飾具において、上記下部に切欠を設けることを特徴とする。
また、請求項１記載の装飾具において、上記上部は適宜の形状、模様、図形、記号、文字、もしくは数字又はこれらの結合を表わすことを特徴とする。
また、本願発明による装飾具の製造方法は、貴金属粘土からなる生地を予め定められた形状に成形し本体を成形する工程と、該本体に装飾子の下部を埋込む工程と、上記工程品を乾燥後焼成する工程とからなる。
また、請求項５記載の装飾具の製造方法において、上記工程の順序を上記記載順にすることを特徴とする。
【０００８】
【発明の実施の形態】
次に、実施の形態を示す図面に基づき本願発明による装飾具及びその製造方法をさらに詳しく説明する。なお、便宜上同一の機能を奏する部分には同一の符号を付してその説明を省略する。
【０００９】
図１及び図２は本願発明による装飾具の第１の実施の形態（装飾具が指輪の場合）を示す。１は本体であり、純銀粘土を予め定められた形状に成形してなる。純銀粘土は、微粒子状の純銀に結合剤及び水を練り合わせてなる粘土状の素材である。３は該本体１に埋め込まれ固着される装飾子である。該装飾子３は上部５及び下部７が一体となった固形の純銀（溶解温度約９００℃乃至約１０００℃）からなる。上部５は種々の形状・模様・図形、記号を有し、又はアルファベット等の文字や数字面となっており、装飾乃至表示機能を担う。下部７は該上部５の直下にピン状に連続して延長される。上記下部７の中央部には楔形の切欠９を設ける。上記下部７と上部５との境界の径ａ：下部７の長さｂは、約２：３となっている。本実施例ではａ：ｂ＝１．１ｍｍ：１．５ｍｍである。上記切欠９の位置は上部５との境界より０．７ｍｍ下方に設けてある。上記切欠９の大きさは、上部５との境界の径ａ：切欠９の径ｃが約５：１となっている。本実施例ではａ：ｃ＝１．１ｍｍ：０．２ｍｍである。上記上部５の大きさ、形状又は模様はいずれも任意である。
【００１０】
次に、図３を参照して、上記装飾具の具体的製造方法説明する。
＜１＞貴金属粘土からなる生地つくり
まず、空気を入れないように貴金属粘土をまとめて生地玉（図示省略）をつくる。実施例では、三菱マテリアル株式会社製純銀粘土「ＰＭＣ３」を用いる（前処理工程）。
【００１１】
＜２＞成形工程
上記生地を予め定められた形状に成形する。図１の実施の形態では、図３（Ｂ）に示すように枠状の本体１を成型した後（第１工程）、丸棒（図示省略）に巻いてリングに成形する（第２工程）。
【００１２】
＜３＞装飾子３の埋込
次いで例えば図２に示すような所望の装飾子３を図３（Ｃ）に示すように本体１に埋め込む（第３工程）。
【００１３】
＜４＞乾燥工程
次いで第３工程を経た工程品を約１日自然乾燥又はドライヤ等により３０分以上強制乾燥させる（第４工程）。
【００１４】
＜５＞焼成工程
次いで第４工程を経た工程品を筒状の焼成釜に入れ、約６００℃乃至７００℃×約３０分間焼成する（第５工程）。
【００１５】
＜６＞仕上工程
次いで第５工程を経た工程品をサンドペーパーにより研磨し鏡面仕上げする（第６工程）。
【００１６】
図４は本願発明による装飾具の第２の実施の形態である。この場合、装飾子３は上部５がカップ状に形成され、下部７の中央部に突起１１を設けてある。本実施例では、下部７を上部５のカップの底面全面より延長・形成してある。上記突起１１の長さは０．８ｍｍであり、拡開角度α＝４０°である。上部５のカップの高さｄは０．９ｍｍ、同直径は３．４ｍｍ、下部７の高さｅは１．１ｍｍである。
【００１７】
図４の場合、＜１＞〜＜６＞の工程は前実施の形態と同様であり、仕上工程に続け、所望の石１３を装飾子３のカップ５上に搭載する。搭載後上部５の頂上外周に形成する覆輪５ａを折曲し、石１３の脱落を防止する。
【００１８】
図５は本願発明による装飾具の第３の実施の形態（ペンダントの場合）を示す。この場合、本体１は平板として成形する。装飾子３は上部５を図５に示すようにアルファベット等の文字や数字面とすることができる。
【００１９】
ペンダントの場合、図６に示すように、＜１＞〜＜５＞の工程（ただしリングに成形する工程を除く）までは前実施の形態と同様である。焼成工程後、鎖を通すための孔１５を穿つ（穿孔工程）。次いで前記同様の仕上工程を行なう。
【００２０】
上記実施の形態によれば、装飾子３は上部５及び下部７が一体の固形貴金属からなる（装飾子３の一体性）ので、焼成工程で加熱されても下部７が上部５より離脱することがない。
【００２１】
またこのように焼成工程における加熱を受けても、装飾子３は溶融温度が本体１より大のため下部７が上部５より離脱しないので、装飾子３を本体１とともに焼成することができる。これにより次の効果がある。
【００２２】
即ち、本体１からの装飾子３の脱落防止のため、下部７には切欠９又は突起１１が設けられている。装飾子３が本体１に埋め込まれる際、この切欠９又は突起１１の通過軌跡（図７に一点鎖線で示す）に沿って空隙１２が生ずる。しかし、この空隙は焼成工程での本体１の収縮により純銀粘土からなる生地が充填され、この状態で焼成されるため装飾子３が却って本体１にしっかりと固定されるのである。
【００２３】
焼成工程を経た本体１は水分及び結合剤が抜けるため、約１０％収縮する。一方装飾子３は当初より固形体であるため焼成工程を経ても収縮しない。よって装飾子３の下部７（とくに切欠９又は突起１１）が本体１にしっかりと喰い込み固着するのである。
【００２４】
装飾子３の本体１への固定は上記の如き一体性のある下部７のみで専ら行なうことができるため、上部５はデザインや文字といった形状、模様等の美的側面又は文字、数字等の表示の分野に特化することができる。この結果、装飾子３はデザインの自在性を確保することができる。
【００２５】
例えば、図１のように各種装飾子３を埋込むことによるデザイン、図４のように宝石１３を後設するデザイン、図５のように文字を付設するデザインといった如きである。図４の場合、従来は焼成工程で燃焼してしまうため搭載できなかった天然石やビーズの如きを搭載することもできる。
【００２６】
本願発明は上記した実施の形態に限定されない。例えば、本体１はブレスレット、イヤリング、ブローチ、ネックレス、バッジ、メダル、バックル、ネクタイ止め、帯留め等の装身具またナイフ、フォーク、スプーン等の柄といった種々の装飾具に加工することができる。
【００２７】
下部７の大きさ又は形状は適宜に変更可能である。
【００２８】
切欠９の大きさ又は設置位置は任意である。また突起１１の形状、大きさ又は設置位置は任意である。例えば上部５のカップの底面中央部より直下に延長・形成するなどしてもよい。さらに突起１１の拡開角度も適宜に変更可能である。
【００２９】
貴金属粘土の種類は任意である、銀粘土の外、例えば金粘土、真ちゅう粘土等他の貴金属成分のものでもよい。貴金属の純度は任意であり、純度１００％でなくともよい。
【００３０】
また本体１と装飾子３とは必ずしも同一貴金属でなくともよく、例えば、純銀粘土からなる本体１に固形の金からなる装飾子３を埋め込み・固着させてもよい。
【００３１】
【発明の効果】
このように、本願発明によれば、装飾子の一体性があり、装飾子３を本体１とともに焼成できるので装飾子の離脱を防止し、バリエーションの豊富な手作り装飾具を簡単かつ確実につくることができ、またこれにより他人の装飾具と差別化を図ることができる。
【図面の簡単な説明】
【図１】本願発明による装飾具の第１の実施の形態を示す斜視図である。
【図２】本願発明にかかる装飾子の実施の形態を示し、（Ａ）は（Ｂ）のＡ−Ａ断面図、（Ｂ）は（Ａ）の平面図である。
【図３】本願発明による装飾具の第１の実施の形態の製造工程を示し、（Ａ）はそのブロック図、（Ｂ）は（Ａ）の第１工程の説明のための概念図、（Ｃ）は（Ａ）の第３工程の説明のための概念図である。
【図４】（Ａ）は本願発明による装飾具の第２の実施の形態を示す斜視図、（Ｂ）は（Ａ）のＢ部拡大断面図、（Ｃ）は（Ａ）のＢ部平面図である。
【図５】本願発明による装飾具の第３の実施の形態を示す正面図である。
【図６】本願発明による装飾具の第３の実施の形態の製造工程を示すブロック図である。
【図７】（Ａ）は本願発明による装飾具の第１の実施の形態の作用の説明のために用いる図、（Ｂ）は（Ａ）のＢ部拡大図、（Ｃ）は本願発明による装飾具の第３の実施の形態の作用の説明のために用いる図である。
【符号の説明】
１    本体
３    装飾子
５    上部
５ａ  覆輪
７    下部
９    切欠
１１  突起
１３  石
１５  孔
【図１】
2004321678.tif 000003
【図２】
2004321678.tif 000004
【図３】
2004321678.tif 000005
【図４】
2004321678.tif 000006
【図５】
2004321678.tif 000007
【図６】
2004321678.tif 000008
【図７】
2004321678.tif 000009